(57)【要約】【課題】保温材をポケット内に収容することができるニット製の下着を提供すること。【解決手段】腹巻きとなる筒形状の本体２を備え、前記本体２の側面に保温材収容用の複数のポケット３、４を本体２と一緒に横編み機で編み上げて形成するようにした。ポケット３、４はウェール方向に編んでいく際にポケット位置で往復編み上げすることで編み地を構成する。これによって、ポケット内に保温材を収容できるため、体温よりも暖かく保温することができる。【選択図】図１
0003221892.tif 000002
【実用新案登録請求の範囲】
【請求項１】
腹巻きとなる筒形状の本体を備え、前記本体の側面に保温材収容用のポケットを備えたことを特徴とするニット製の下着。
【請求項２】
前記ポケットは前記本体の側面の異なる位置に複数形成されていることを特徴とする請求項１に記載のニット製の下着。
【請求項３】
前記本体の下方は両足を通すために２つに分岐した筒状部が形成されていることを特徴とする請求項１〜３のいずれかに記載のニット製の下着。
【請求項４】
前記ポケットは前記本体と同時編みで一体的に形成されていることを特徴とする請求項１〜３のいずれかに記載のニット製の下着。
【考案の詳細な説明】
【技術分野】
【０００１】
本考案は、ニット製の下着に関するものである。
【背景技術】
【０００２】
ニット製の下着の一種である腹巻きは、腹部の保温のために用いる衣類であり従来から着やすいことから伸縮性の大きなニット製の腹巻きが多く提供されている。腹巻きの一例として特許文献１を示す。
【先行技術文献】
【特許文献】
【０００３】
【特許文献１】特開平８−１１３８０２号公報
【考案の概要】
【考案が解決しようとする課題】
【０００４】
しかし、特許文献１も含め従来の腹巻きは腹巻きの素材自体の有する保温性、つまり編み上げた繊維の含む暖気による保温性を期待するものである。そのため、あくまでも体温のみに頼る暖かさとなるためすぐには暖かくならず、また表面体温が低い装用者ではそれほどの暖かさを感じない可能性もある。
【課題を解決するための手段】
【０００５】
上記の目的を達成するための第１の手段として、腹巻きとなる筒形状の本体を備え、前記本体の側面に保温材収容用のポケットを備えるようにした。
これによって、ポケット内に保温材を収容できるため、着用した際に体温よりも暖かく保温することができる。また、ポケットそのもので空気層を作ることになってポケットのある箇所の保温能力を高めることができる。
また、第２の手段として、前記ポケットは前記本体の側面の異なる位置に複数形成されているようにした。
複数のポケットを使用することで異なる位置を保温したり、複数の位置を同時に保温したりすることができる。
また、第３の手段として、前記本体の下方は両足を通すために２つに分岐した筒状部が形成されているようにした。
これによってニット製の下着を両足（両腿）に通すことができ、腹部から腿にかけて同時に保温することができる。
また、第４の手段として、前記ポケットは前記本体と同時編みで一体的に形成されているようにした。
このようにポケットが本体と一体的に同時編みで形成されていることで、後付けでポケットを縫製する場合に比べて本体を着脱する際に縫製部分がないため縫製が引っ張られてほつれることがない。また、ポケットもニットなので伸び縮みするので保温材を収容しやすく、例えばサイズの大きな保温材や複数の保温材を収容するような場合でも対応が可能となる。
【０００６】
「筒形状の本体を備えてるニット製の下着」であるため、編んであるあるいは編み物のように織っている素材である。素材としては、例えば、綿、ウール、リネン等の天然繊維でも、アクリル等の化繊でもよく、それらを単独あるいは組み合わせて使用することも可能である。
「ポケット」は保温材を収容して落下しないように左右と底が本体と一体化することがよい。ポケットに蓋があってもよい。ポケットの位置や数や大きさは特に限定されるものではなく、ポケット位置は外面側でも内面側でもよい。
「同時編み」とはここでは腹巻きの本体を一端から編んでいく際にポケット部分も本体を編みながら同時に編み上げていくことをいう。
「保温材」とは、例えば酸素を吸収して発熱する使い捨てのカイロでも、電子レンズで加熱するタイプのカイロでも、豆炭やベンゼンのような燃料を使用するカイロでもよい。保温を目的とするのであれば製品としてのカイロではなく、例えば暖めた石やゼリー状のようなものでもよい。
【考案の効果】
【０００７】
本考案によれば、ポケット内に保温材を収容できるため、体温よりも暖かく保温することができる。
【図面の簡単な説明】
【０００８】
【図１】実施の形態１の腹巻きの平面図。
【図２】実施の形態２の腹巻きの平面図。
【図３】ニットの構成を説明する拡大説明図。
【図４】ウェール方向の編み上げを説明する模式図。
【考案を実施するための形態】
【０００９】
以下、本考案の実施の形態であるニット製の下着の一例について図面に基づいて説明する。
（実施の形態１）
図１に示すように、腹巻き１の本体２は横編み機で編まれたメリヤス からなるのニット製品である。本体２は平編みされ、上下端部付近は補強のためにリブ編みされている。
腹巻き１はニット製品であるため上側左右下や左右方向に自在に伸縮性を有している。本体２の径は着用時に上方側に対して腰骨から臀部にかけての下方側ほど大径に構成されている。腹巻き１は平置き状態で上下長さ約５６０ｍｍ、上端左右幅約２５０ｍｍ、下端左右幅約３４０ｍｍとされている。腹巻き１は着用した際に上端が脇下に配置され、下端が腰〜臀部、太股付近に配置される。つまり、腹巻き１ではあるが胴体の多くの部分を広汎に包囲する防寒着に近い役割をする。腹巻き１は着用時に左右あばら骨前方となる位置に配置される２つの第１のポケット３と、着用時に下腹部に配置される第２のポケット４の複数のポケット３、４を備えている。背面側はポケットのないフラットなニット面とされている。ポケット３、４は本体２と一体に編まれて形成されている。図２に示すように、ポケット３、４はそれぞれ本体２と重複状に編み上げられ、開口部５が上方となるように三方が本体２に接続されている。
【００１０】
このような腹巻き１の第１及び第２のポケット３、４の編み上げ手段はいくつか考えられるが、ここでは第２のポケット４を形成する際の一例を図４に基づいて説明する。
腹巻き１は公知の横編み機によって丸編みの螺旋状に連続したループによって円筒状の編み生地をニット体として自動的に編み上げられていく。図３に示すように、ニットは基本的にループ状に引き出された糸に対して次の糸をループ状に絡めて編地の横方向（ウェール方向）と縦方向（コース方向）に延伸させていって編地を構築していく。横編み機ではキャリッジを左右に動かすことによって糸を引き出しながら針やシンカー等の編み機構を作動させ編地を編んでいく。図４はウェール方向の編み上げを説明する模式図である。今、ウェール方向に編んでいく途中で、編み位置先端がＡ位置まで進出すると、ここからＢ位置までのウェール方向の編み上げ分を本体２から外方に分離させ、Ｂ位置で反転して逆進させてＡ位置まで戻すようにし、Ａ位置で再び反転してウェール方向に進行させる。そしてＢ位置で逆進させずにそのままこの回の通常の編み上げ（ここでは時計回り方向）を行う。次の周回でＡ位置まで進出すると再び上記のように逆進動作をさせる。つまり、Ａ位置からＢ位置の間のポケット４の幅内では図４の往復矢印のように往復動して編み上げるようにし、ポケット４部分の編地を構成していく。このような編み方をすることでポケット４部分の編地が本体２の編地と重複状に本体２の外側に形成されることとなる。第１のポケット３も第２のポケット４と同様の編み方で形成することができる。
【００１１】
このような構成の、腹巻き１では次のような効果が奏される。
（１）腹巻き１は複数の第１及び第２のポケット３、４を備えているため、この腹巻き１を着用して、第１又は／及び第２のポケット３、４にカイロを入れることで体温以上に保温できることとなる。
（２）第１及び第２のポケット３、４は後付けで縫製するのではなく、当初から編み上げられているため、ポケット部分がほつれにくく、腹巻き１の着脱を繰り返しても第１及び第２のポケット３、４が取れてしまうことがない。
【００１２】
（実施の形態２）
図２に示すように、実施の形態２の腹巻き１１は本体１２と、本体１２の下方に形成された両足を通すために２つに分岐した筒状部１３とを備えている。筒状部１３は本体１２と一体化している。実施の形態２の腹巻き１１は実施の形態１と同様に、横編み機で編まれたメリヤスのニット製品である。本体２は平編みされ、上下端部付近は補強のためにリブ編みされている。
本体１２の径は上方側が狭く腰骨から臀部にかけての下方側が大径に構成されている。
腹巻き１１は平置き状態で上下長さ約５１０ｍｍ、上端左右幅約２４０ｍｍ、下端左右幅約３００ｍｍとされている。筒状部１３は各々１３５ｍｍ幅とされ下端から股上までは１３０ｍｍとされている。腹巻き１１は着用時に仙骨位置となる部分にポケット１４を備えている。ポケット１４は実施の形態１と同様に全体の編み上げと一緒に形成される。
このような実施の形態２の腹巻き１１も、
（１）ポケット１４にカイロを入れることで体温以上に保温できることとなる。
（２）ポケット１４は後付けで縫製するのではなく、当初から編み上げられているため、ポケット部分がほつれにくく、腹巻き１１の着脱を繰り返してもポケット１４が取れてしまうことがない。
【００１３】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・カイロとして様々な種類を用いてもよい。
・腹巻き１、１１を着用する際には第１及び第２のポケット３、４、ポケット１４が本体２、１２の外側に配置するように着ていたが、これらポケット３、４、１１が内側になるように着てもよい。また、これらポケット３、４、１１が背中側に来るように着てもよい。
・糸の素材や、下着のデザインやサイズは上記は一例であるので他の素材や形状のニット製の下着に適用することは自由である。
・ポケット３、４、１４を形成するための手法は上記は一例である。公知の編み機によってポケット３、４、１４を一体的に編む種々の手法を使用することも可能である。
本考案は上述した実施の形態に記載の構成に限定されない。上述した各実施の形態や変形例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または特許出願への変更等において権利取得する意思を有する。
【符号の説明】
【００１４】
１、１１…ニット製の下着である腹巻き、２、１２…本体、３、４、１４…ポケット。
【図１】
0003221892.tif 000003
【図２】
0003221892.tif 000004
【図３】
0003221892.tif 000005
【図４】
0003221892.tif 000006
【手続補正書】
【提出日】平成31年4月17日(2019.4.17)
【手続補正１】
【補正対象書類名】実用新案登録請求の範囲
【補正対象項目名】全文
【補正方法】変更
【補正の内容】
【実用新案登録請求の範囲】
【請求項１】
腹巻きとなる筒形状の本体を備え、前記本体の側面に保温材収容用のポケットを備えたことを特徴とするニット製の下着。
【請求項２】
前記ポケットは前記本体の側面の異なる位置に複数形成されていることを特徴とする請求項１に記載のニット製の下着。
【請求項３】
前記本体の下方は両足を通すために２つに分岐した筒状部が形成されていることを特徴とする請求項１又は２のいずれかに記載のニット製の下着。
【請求項４】
前記ポケットは前記本体と同時編みで一体的に形成されていることを特徴とする請求項１〜３のいずれかに記載のニット製の下着。